(57)【要約】  自動分析装置は、反応容器中の試料と試薬との混合液に光源からの光を照射し、得られる光の情報に基づいて試料の分析を行う。使い捨ての反応容器は、分析後に廃棄部に回収されるが、廃棄部の一部に反応容器が集中して蓄積された場合、内容物がこぼれ落ちてしまう等のおそれがあった。また、廃棄部自体を振動させることにより反応容器の高さを均等に使用とする場合、振動によるノイズが測定結果に影響し、分析の信頼性を低下させてしまうことがある。  測定が終了した反応容器が廃棄される反応容器廃棄部と、当該反応容器を、前記反応容器保持部から前記反応容器廃棄部へ移送し、当該反応容器廃棄部へ廃棄する反応容器移送機構と、制御部とを備え、前記制御部は、前記反応容器廃棄部における前記反応容器の廃棄が所定の位置で連続して行われないように、前記反応容器移送機構の動作を制御する。これにより、分析の信頼性を高く維持しながら、使用済みの反応容器の蓄積を均等にすることができる自動分析装置を提供する。
2017047240.tif 000002
【特許請求の範囲】
【請求項１】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
前記反応容器移送機構の動作を制御する制御部と、を備え、
前記制御部は、
前記反応容器廃棄部における前記反応容器の廃棄が所定の位置で連続して行われないように、前記反応容器移送機構の動作を制御することを特徴とする自動分析装置。
【請求項２】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
前記制御部は、
当該反応容器の廃棄が当該複数の開口部のうちのいずれかの開口部を介して連続して行われないように、前記反応容器移送機構の動作を制御することを特徴とする自動分析装置。
【請求項３】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる廃棄ポイントを複数含むように単一の開口部が形成され、
前記制御部は、
当該反応容器の廃棄が前記開口部における複数の廃棄ポイントのうちのいずれかの廃棄ポイントを介して連続して行われないように、前記反応容器移送機構の動作を制御することを特徴とする自動分析装置。
【請求項４】
請求項２に記載された自動分析装置であって、
前記収納部には、さらに、前記反応容器が収納されるスペースを複数に区切るように仕切り部材が設けられ、
当該蓋部に形成された複数の開口部のそれぞれは、当該区切られた複数のスペースのうちのいずれかに前記反応容器を搬入できるように構成され、
前記制御部は、
前記測定部における測定結果に基づいて、
当該収納部において区切られたスペースのうちのいずれのスペースに前記反応容器を収納するかを決定し、
当該決定されたスペースに前記反応容器を収納するように、当該蓋部に形成された開口部のうちのいずれかの開口部にて前記反応容器の廃棄を行うように前記反応容器移送機構の動作を制御することを特徴とする自動分析装置。
【請求項５】
請求項４に記載された自動分析装置であって、
前記測定部は前記反応容器に収容された混合液の血液凝固分析を行い、
前記制御部は、
前記測定部における測定結果に基づいて、予め定められた時間内に血液凝固反応が終了したか否かを判断し、
当該判断の結果に基づいて、
当該収納部において区切られたスペースのうちのいずれのスペースに前記反応容器を収納するかを決定することを特徴とする自動分析装置。
【請求項６】
請求項５に記載された自動分析装置であって、
前記収納部は、前記仕切り部材によって第１のスペースと第２のスペースとに区切られ、
前記制御部は、
当該判断において、
予め定められた時間内に血液凝固反応が終了したと判断された場合には、当該収納部において区切られた第１のスペースに前記反応容器を収納し、
予め定められた時間内に血液凝固反応が終了していないと判断された場合には、当該収納部において区切られた第２のスペースに前記反応容器を収納するように、前記反応容器移送機構の動作を制御することを特徴とする自動分析装置。
【請求項７】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
当該収納部には、当該収納された反応容器を検知する検知器が複数設けられ、
前記制御部は、
当該検知器による反応容器の検知状況に基づいて、
前記反応容器移送機構の動作を制御することを特徴とする自動分析装置。
【請求項８】
請求項７に記載された自動分析装置であって、
当該複数の検知器のそれぞれは、当該蓋部に形成された複数の開口部のそれぞれに対応するように設けられ、
当該検知器のうちの少なくともいずれかの検知器が反応容器を検知した場合、
前記制御部は、前記反応容器の廃棄が、前記反応容器を検知した検知器に対応する開口部を介して連続して行われないように、前記反応容器移送機構の動作を制御することを特徴とする自動分析装置。
【請求項９】
請求項８に記載された自動分析装置であって、
前記制御部は、
当該複数の検知器のそれぞれについての位置の情報と、対応する開口部において廃棄が行われた時刻に関する情報を記憶し、
当該検知器のうちの少なくとも２つ以上の検知器が反応容器を検知した場合には、当該検知器のそれぞれについて、当該記憶された、対応する開口部において廃棄が行われた時刻と、現在の時刻との乖離を求め、当該求めた乖離が大きい方の検知器に対応する開口部において前記反応容器を廃棄するように、前記反応容器移送機構の動作を制御することを特徴とする自動分析装置。
【請求項１０】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
前記反応容器移送機構の動作を制御する制御部と、を備えた自動分析装置における分析方法であって、
前記制御部は、
前記反応容器廃棄部における前記反応容器の廃棄が所定の位置で連続して行われないように、前記反応容器移送機構の動作を制御することを特徴とする分析方法。
【発明の詳細な説明】
【技術分野】
【０００１】
本発明は、血液等の生体サンプルに含まれる成分を自動的に分析する自動分析装置に係り、特に、使用済みの反応容器を収容する廃棄部を備えた自動分析装置に関する。
【背景技術】
【０００２】
血液等の生体サンプルに含まれる目的の成分を分析する装置として、光源からの光を、分析対象である、サンプルと試薬とが混合した反応液に照射して得られる単一または複数の波長の透過光や散乱光の光量を測定する自動分析装置が広く用いられている。【０００３】
自動分析装置には、生化学検査や血液学検査の分野等で生体サンプル中の目的成分の定量、定性分析を行う生化学分析用の装置や、サンプルである血液の凝固能を測定する血液凝固分析用の装置等がある。【０００４】
後者の分析では特に、血液の凝固反応によって反応液が液体状態から固体状態へと変化するため、分析に使用した反応液を収容する反応容器は、廃棄のために回収する必要がある。ここで、使用済みの反応容器等を自然落下により廃棄部に回収した場合には、廃棄部のある特定の場所へ反応容器が集積してしまい、これがこぼれ落ちしてしまうこと、さらにはこのこぼれ落ちた反応容器を人の手によって拾った場合に二次感染を引き起こしてしまうこと等のおそれがある。【０００５】
特許文献１では、このようなある特定の場所への反応容器等の集積を防ぐための技術として、自然落下によって使用済みのチップやベッセルを使い捨ての収納容器へ回収したのちに、収納容器自体を往復直線運動により前後左右あるいは上下に振動させ、この振動によって内部に収容されたチップやベッセルを平らに均す機構を備えた装置について説明されている。
【先行技術文献】
【特許文献】
【０００６】
【特許文献１】特開平９-１２７１２７号公報
【発明の概要】
【発明が解決しようとする課題】
【０００７】
しかしながら、特許文献１に記載された手法においては、収納容器自体の振動によって内部のチップやベッセルの高さを平均化することができるものの、収納容器を振動させるための専用の機構を別途設置する必要があり、装置の複雑化、大型化を招く。さらに、収納容器自体の振動が光学系の検出部にも伝わることによって測定結果に影響がでるおそれがある。【０００８】
本発明の目的は、省スペース化を維持しつつ使用済みの反応容器の集積を防ぎ、かつ、振動等のノイズによる測定結果への影響を抑えた信頼性の高い分析を実現することに関する。
【課題を解決するための手段】
【０００９】
上記課題を解決するための一態様として、試料を反応容器に分注する試料分注機構と、試薬を反応容器に分注する試薬分注機構と、前記反応容器を保持する反応容器保持部と、当該保持された反応容器に収容された試料と試薬との混合液に光を照射する光源と、当該照射された光を検出する検出部と、から構成される測定部と、当該測定が終了した反応容器が廃棄される反応容器廃棄部と、当該反応容器を、前記反応容器保持部から前記反応容器廃棄部へ移送し、当該反応容器廃棄部へ廃棄する反応容器移送機構と、前記反応容器移送機構の動作を制御する制御部と、を備え、前記制御部は、前記反応容器廃棄部における前記反応容器の廃棄が所定の位置で連続して行われないように、前記反応容器移送機構の動作を制御することを特徴とする自動分析装置、及び当該装置を用いた分析方法を提供する。
【発明の効果】
【００１０】
上記一態様によれば、反応容器移送機構が反応容器の廃棄部への廃棄のポイント、タイミングを重複させないように動作するため、省スペース化を維持しつつ廃棄部内での使用済みの反応容器の特定の場所での集積を防ぎ、かつ、振動等のノイズによる測定結果への影響を抑えた信頼性の高い分析を実現することができる。
【図面の簡単な説明】
【００１１】
【図１】本実施の形態に係る自動分析装置の基本構成を示す図。
【図２】本実施の形態（第１の実施の形態）に係る、蓋部を有さない反応容器廃棄部の構成を示す図。
【図３】本実施の形態（第２の実施の形態）に係る、複数の開口部を備えた蓋部を有する反応容器廃棄部の構成を示す図。
【図４】本実施の形態（第３の実施の形態）に係る、溝状の開口部を備えた蓋部を有する反応容器廃棄部の構成を示す図。
【図５】本実施の形態（第４の実施の形態）に係る、複数の開口部を備えた蓋部を備え、内部に複数に区切られた収納スペースを有する反応容器廃棄部の構成を示す図。
【図６】本実施の形態（第５の実施の形態）に係る、内部の反応容器の蓄積状況を検知する検知器を有する反応容器廃棄部の構成を示す図。
【図７】本実施の形態（第５の実施の形態）に係る、内部の反応容器の蓄積状況に応じた反応容器移送機構の動作を説明するフローチャート。
【図８】本実施の形態（第６の実施の形態）に係る２モジュールの血液凝固分析部を備えた自動分析装置の基本構成を示す図。
【図９】本実施の形態（第６の実施の形態）に係る自動分析装置における血液凝固分析部の構成を示す図。
【発明を実施するための形態】
【００１２】
以下、本発明を実施するための形態について図面を用いて詳細に説明する。なお、全体を通して、各図における同一の機能を有する各構成部分については説明を省略することがある。
【００１３】
<装置の基本構成>
図１に、本実施の形態に係る自動分析装置の基本構成を示す。ここでは、自動分析装置の一態様として血液凝固分析を行う装置の例について説明する。本図に示すように自動分析装置１００は、主として、試料ディスク１０２、試薬ディスク１０４、試料分注機構１０５、試料分注機構洗浄部１０６、反応容器設置部１０８、反応容器移送機構１０９、反応容器供給部１１０、検出ユニット１１１、試薬分注機構１１２、試薬分注機構洗浄部１１３、反応容器廃棄部１１４、操作部１１５、制御部１１６、記憶部１１７、インターフェイス１１８等から構成される。
【００１４】
試料ディスク１０２は、時計回り、反時計回りに回転自在なディスク状のユニットであって、試料または精度管理試料を保持する試料容器１０１をその円周上に複数個配置することができる。
【００１５】
試薬ディスク１０４は、試料ディスク１０２と同様に、時計回り、反時計回りに回転自在なディスク状のユニットであって、試料に含まれる各検査項目の成分と反応する成分を含有する試薬を収容する試薬容器１０３をその円周上に複数個配置することができる。また、本図には示していないが、試薬ディスク１０４では、保冷機構等を備えることにより、配置された試薬容器１０３内の試薬を保冷可能に構成することもできる。
【００１６】
試料分注機構１０５は、試料ディスク１０２に保持された試料容器１０１内の試料を吸引して、試料分注ポート１１９に設置された反応容器１０７内へ吐出する。ここで、試料分注機構１０５の動作は、図示しない試料用シリンジポンプの動作に伴って、制御部１１６の指示に基づいて制御される。
【００１７】
試料分注機構洗浄部１０６は、試料分注機構１０５を洗浄水によって水洗する機構である。水洗のタイミングは制御部１１６の指示に基づいて制御される。
【００１８】
試薬分注機構１１２は、試薬ディスク１０４に保持された試薬容器１０３内の試薬を吸引して、検出ユニット１１１の反応容器設置部１０８に設置された、試料が分注された反応容器１０７内に分注を行う。ここで、試薬分注機構１１２の動作は、図示しない試薬用シリンジポンプの動作に伴って、制御部１１６の指示に基づいて制御される。
【００１９】
試薬分注機構洗浄部１１３は、試薬分注機構１１２を洗浄水によって水洗する機構である。水洗のタイミングは制御部１１６の指示に基づいて制御される。
【００２０】
なお、ここでは試料分注機構洗浄部１０６と、試薬分注機構洗浄部１１３が各々別個に設けられている構成について説明したが、単一のユニットであっても良い。
【００２１】
反応容器供給部１１０は、分析前の反応容器１０７を複数保持可能に構成される。
【００２２】
反応容器移送機構１０９は、分析に使用する反応容器１０７を反応容器供給部１１０から試料分注ポート１１９に移送し、搬入する。また、試料が分注された後の反応容器１０７を、試料分注ポート１１９から搬出し、検出ユニット１１１の反応容器設置部１０８への移送、搬入を行う。分析終了後は、反応容器設置部１０８から反応容器１０７を搬出し、反応容器廃棄部１１４へ移送し、廃棄する。
【００２３】
検出ユニット１１１は、反応容器１０７を設置するための１つ以上（本実施例では、一例として６つの場合を示している）の反応容器設置部１０８と、図示しない光源とフォトダイオードから構成される検出部（光センサ）とから構成される光学系を有している。光源は、反応容器設置部１０８に挿入された、分析対象である試料と試薬との混合液である反応液を収容する反応容器１０７へ光を照射し、反応液中で生じた反応によって産生される物質により得られる散乱光や透過光等の光強度の測定を行う。例えば、散乱光を検出する場合には、それぞれの反応容器設置部１０８は、下方に配置された光源と、側面に配置された検出部とを有している。このとき、検出部は受光した散乱光を光/電流変換を行うことで、受光した光強度を示す測光信号を図示しないＡ/Ｄ変換器に出力する。Ａ/Ｄ変換器でＡ/Ｄ変換された光強度の測定信号は、インターフェイス１１８を介して制御部１１６と記憶部１１７に送られる。
【００２４】
例えば血液凝固検査項目では、サンプルと試薬とが反応すると、時間の経過とともにフィブリンが析出する。そして、このフィブリンの析出に伴って散乱される光量も増加する。この光量を検出することで、サンプル中のフィブリノーゲン量（Ｆｂｇ）を求めることができる。また、各々の検査項目に対応する試薬を用いて同様に光量を監視することで、プロトロンビン時間（ＰＴ）や活性化部分トロンボプラスチン時間（ＡＰＴＴ）等の他の血液凝固検査項目を分析することもできる。
【００２５】
反応容器廃棄部１１４は、分析に使用済みの反応容器１０７を廃棄するためのユニットである。より具体的には、反応容器１１４が投入される廃棄口である開口部と、開口部の下方に配置された本図には図示しない収納ボックスを有する。
【００２６】
操作部１１５は入力手段としてキーボードやマウス、表示部に表示された操作画面などの入力端末を有し、キーボードや操作画面から分析する試料の分析項目を入力し、制御部１１６へ入力する。
【００２７】
制御部１１６は、操作部１１５からの入力に基づき試料ディスク１０２、試薬ディスク１０４、試料分注機構１０５、試料分注機構洗浄部１０６、反応容器移送機構１０９、検出ユニット１１１、試薬分注機構１１２、試薬分注機構洗浄部１１３の動作を制御し、自動分析装置１００を構成する種々の構成の動作や条件設定等の制御全般を行う。また、制御部は、検出ユニット１１１からインターフェイス１１８を介して入力された測定信号を処理し、検出結果に基づく目的成分の濃度や血液凝固時間を求めるための演算、および異常個所の特定といったデータ処理等を実施する。詳細は後述する。
【００２８】
記憶部１１７は操作部１１５からの入力情報と、試料ディスク１０２等の動作情報と、試薬、検体情報等を記憶する。
【００２９】
インターフェイス１１８は試料ディスク１０２等の動作情報と操作部１１５からの入力情報と、制御部１１６からの動作情報と記憶部１１７に格納する情報の仲介をする。
【００３０】
このように構成した本実施例の形態の自動分析装置１００における試料の分析は試料分注、試薬分注、測光、反応容器１０７の廃棄、データ処理の順番に実施される。以下に基本的な分析の流れについて詳述する。
【００３１】
試薬ディスク１０４上には、複数の試薬容器１０３が円周上に並んで配置されており、操作部１１５から分析項目の選択および分析開始指示を受けると、分析項目に従って、目的の試薬容器１０３を試薬分注機構１１２の下まで時計回りもしくは反時計回りに回転して、搬送する。試薬容器１０３中の試薬は、試薬分注機構１１２に連結された試薬用シリンジ（図示せず）により、所定量分注される。反応容器供給部１１０上には複数の反応容器１０７が縦横に配置されている。反応容器移送機構１０９は所定の順番に反応容器供給部１１０から反応容器１０７を試薬分注ポート１１９を経由して反応容器設置部１０８に移送、搬入する。
【００３２】
試料ディスク１０２上には、複数の試料容器１０１が円周上に並んで配置されており、分析される試料の順番に従って時計回りもしくは反時計回りに回転し、試料分注機構１０５の下まで搬送する。
【００３３】
試料容器１０１中の検体は、試料分注機構１０５に連結された試料用シリンジ（図示せず）により、試料分注ポート１１９に設置された反応容器１０７に所定量分注される。次に、試薬分注機構１１２は、試薬容器１０３から試薬を吸引し、検出ユニット１１１の反応容器設置部１０８に設置された試料を収容する反応容器１０７に分注する。
【００３４】
光源から光を照射し、反応容器１０７に収容された試料と試薬との混合液である反応液内での反応の進行は、上述したフォトダイオードなどで構成される検出部によって採取され、検出ユニット１１１にて検知される。検知したデータ、使用検出ユニット番号、使用試料種類および試料ディスク１０２上の設置位置、使用試薬種類および試薬ディスク１０４上の設置位置は記憶部１１７に格納される。
【００３５】
反応容器１０７内に保持した反応液の反応および測定が完了すると、反応容器１０７は反応後の混合液を保持したまま、反応容器移送機構１０９によって、反応容器廃棄部１１４へ廃棄される。
【第１の実施の形態】
【００３６】
図２は、本実施の形態に係る、蓋部を有さない反応容器廃棄部の構成を示す図である。図１に示した反応容器廃棄部１１４は、本実施の形態では開口した収納ボックス２０１から構成される。反応容器移送機構２０２は、搬送路２０４を経由して、分析が終了した使用済みの反応容器２０３を収納ボックス２０１へ搬送し、廃棄する。
【００３７】
このとき、反応容器移送機構２０２が反応容器２０３を廃棄する箇所が常に同じである場合、収納ボックス２０１内にて反応容器２０３は一定の箇所に蓄積されてしまう。そこで、本実施の形態に係る反応容器移送機構２０２は、収納ボックス２０１上にて、反応容器２０３の廃棄動作が所定の位置にて連続して行われないように、廃棄ポイントを任意に決定することができる。収納ボックス２０１上であれば、廃棄する場所に制限はなく、例えば、反応容器移送機構２０２の位置を制御するモータ（図示せず）の駆動量をわずかに変えるだけで、廃棄するポイントが連続しないようにずらすことができる。このように、反応容器移送機構２０２の動作の制御によって廃棄するポイントをずらすことができれば、振動によるノイズの影響を抑えつつ、反応容器２０３が収納ボックス２０１内の特定の箇所に蓄積するのを防ぐことができる。これにより、測定結果の信頼性を維持し、省スペース化を実現した自動分析装置において、収納ボックス２０１内の反応容器２０３の蓄積を均すことができる。
【第２の実施の形態】
【００３８】
上述した実施の形態では、蓋部を備えておらず、上面が開口した収納ボックスを有する反応容器廃棄部の構成について説明した。本実施の形態では、複数の開口部を備えた蓋部を有する収納ボックスからなる反応容器廃棄部の構成について、図３を用いて説明する。
【００３９】
本構成において、反応容器移送機構３０２は、搬送路３０６を経由して、分析が終了した使用済みの反応容器３０３を収納ボックス３０１の蓋部３０５に形成された複数の開口部３０４へ搬送し、廃棄する。本図においては蓋部３０５に形成された開口部３０４が５つの場合を示しているが、この数は限定されるものではなく、必要に応じて変更可能である。
【００４０】
ここで、反応容器移送機構３０２は、図１に示した反応容器設置部１０８上に設置された使用済みの反応容器３０３を保持後、搬送路３０６を通って、複数ある開口部３０４のうちのいずれか１つの開口部の直上に移動し、反応容器３０３を廃棄する。廃棄する順番としては、例えば、図中の開口部１→開口部２→開口部３→開口部４→開口部５→開口部１→・・・のように一定のシーケンスに従って設定することができ、また必要に応じて変更することもできる。このように、一定のシーケンスに従って複数形成された開口部への廃棄の順序を変えることによって、収納ボックス３０１内の一定の箇所に反応容器３０３が蓄積されるのを防ぐことができ、収納される反応容器３０３の高さを均等にすることができる。
【００４１】
また、蓋部３０５を設けることにより、反応容器３０３以外の落下物等が収納ボックス３０１内に落ちるのを防ぐことができる。ここで、反応容器３０３内は検体と試薬の混合液である反応液や、反応後に産生された析出物を保持しているが、検体によっては危険な感染症のリスクを有するものも含まれている。よって、もし収納ボックス３０１内に反応容器３０３以外のものが回収されてしまった場合、収納ボックス３０３内へユーザがアクセスすることによる二次感染のおそれがある。本実施の形態によれば、蓋部３０５を備えることにより反応容器３０３以外のものが収納ボックス３０１内部へ回収されることを防ぐため、このようなリスクを回避することができる。
【第３の実施の形態】
【００４２】
次に、図４を用いて、本実施の形態に係る、溝状の開口部を備えた蓋部を有する反応容器廃棄部の構成について説明する。上述した第２の実施の形態では、蓋部３０５に複数の開口部３０４を形成した構成について説明したが、ここでは、蓋部４０５は溝状に形成された、複数の廃棄ポイントを含んだ単一の開口部４０４を備えている。
【００４３】
本構成において、反応容器移送機構４０２は、搬送路４０６を経由して、分析が終了した使用済みの反応容器４０３を収納ボックス４０１の蓋部４０５に溝状に形成された単一の開口部４０４へ搬送し、この開口部４０４に含まれる複数の廃棄ポイントにおいて廃棄する。廃棄する順番としては、例えば、図中の開口部４０４におけるＰ１→Ｐ２→Ｐ３→Ｐ４→Ｐ５→Ｐ６→・・・のように、一定のシーケンスに従って設定することができ、また、必要に応じて変更することもできる。
【００４４】
開口部４０５の形状を、上述した第２の実施の形態のように反応容器４０３に合わせた円形状にするのではなく、溝状にすることによって、１つの開口部４０５上において複数の廃棄ポイントを含めることができる。反応容器移送部４０２は、開口部４０４上であればどのポイントにおいても反応容器４０３を廃棄可能であり、あるポイントにおいて反応容器４０３を廃棄したのちに、移動距離を長くとって廃棄ポイント間の距離を広くすることもできるし、反対に、移動距離を短くして廃棄ポイント間の距離を数ミリ単位にすることも可能である。
【００４５】
本実施の形態によれば、１つの開口部４０４上で、広範囲にわたって収納ボックス４０１内へ反応容器４０３を廃棄することができる。単一の開口部４０４における複数の廃棄ポイントにおいて収納ボックス４０１へ反応容器４０３を廃棄することにより、収納ボックス４０１内の反応容器４０３の高さを均等にすることができる。また、単一の開口部４０４において、上述の通り数ミリずつずらして反応容器４０３を廃棄することもできるため、廃棄ポイントの自由度が増える。これにより収納ボックス４０１の内の反応容器４０３の高さの均等化をより精度よく実行することができる。
【００４６】
なお、開口部４０４の形状や配置、廃棄の順序については、上述した構成の他にも適宜変更することができる。
【第４の実施の形態】
【００４７】
本実施の形態では、複数の開口部を備えた蓋部を備え、さらに、内部に複数に区切られた収納スペースを有する反応容器廃棄部の構成、及び、本構成を用いて、検体の状態によって反応容器を廃棄する収納ボックス内の収納スペースを変更する態様について、図５を用いて説明する。
【００４８】
本構成において、反応容器移送機構５０２は、搬送路５０６を経由して、分析が終了した使用済みの反応容器５０３を収納ボックス５０１の蓋部５０５に形成された複数の開口部６０４へ搬送し、収納ボックス５０１内の仕切り部材５０５によって区切られた複数の収納スペースのうちのいずれかに廃棄する。ここでは、仕切り部材５０５によって、収納ボックス５０１の内部は第１のスペース５０１ａ、第２のスペース５０１ｂの２つのスペースに区切られている。
【００４９】
血液凝固分析においては、測定項目による違いはあるものの、早いものでは数秒で試料である血液検体と試薬とが反応し、混合液は凝固し始める。しかしながら、血液凝固因子に欠損のある検体の場合では、試薬との混合後数秒の間には検体の凝固現象が開始されず、数分経過しても凝固しない場合もある。
【００５０】
このような場合、自動分析装置においては最大測定時間など、測定を継続する最大の時間が設けられている。そして、この時間を経過した場合には、分析結果である血液凝固時間を得られないまま、測定を終了する。このとき、検体は反応容器５０３内でほぼ液体のまま保持されることになる。液状の検体を保持した反応容器５０３に対し、他の反応容器５０３、すなわち血液凝固反応が終了し、固体へと変化した混合物を収容した反応容器５０３と同じく、反応容器移送機構５０２によって収納ボックス５０１内の共通のスペースに廃棄した場合、反応容器５０３内の液体がこぼれて、収納ボックス５０１内を汚染するおそれがある。
【００５１】
そこで、本実施の形態では、例えば測定最大時間に達しても検体と試薬との混合液が凝固しない状態のまま収容されている反応容器５０３は、開口部５０４の５番もしくは６番の位置から廃棄し、収納ボックス５０１内の第１のスペース５０１ａに回収する。一方、通常通り検体と試薬との混合液が凝固し、固体へと変化した場合には、開口部５０４の１〜４番のいずれかの位置から反応容器５０３を廃棄し、収納ボックス５０１内の第２のスペース５０１ｂに回収する。より具体的には、測定最大時間を経過しても、検出ユニット１１１における検出部が、血液凝固時間の取得に要する光学的変化量を得られなかった（タイムアウトした）場合には、制御部１１６は、この分析に使用した反応容器５０３内に収容される混合液は液体の状態であると判断し、上述の通り第１のスペース５０１ａに回収するように反応容器移送機構５０２の動作を制御する。
【００５２】
このように、収納ボックス５０１内に仕切り部材５０５を設けることによって区切られた各々のスペースに対し、血液凝固反応の状況に応じて開口部５０４の位置を変更することによって、反応容器５０３内の液状の混合液と凝固した固体の混合物とを分けて回収することができる。
【００５３】
さらに、液状の混合液を収容した反応容器５０３が回収された第１のスペース５０１ａには、廃棄用のビニール袋等を二重に設置するなどの処置を取ることによって、収納ボックス５０１内汚染と、反応容器５０３を廃棄するときに内部からこぼれた液状の混合液に接触してしまう等のリスクを下げることができる。
【００５４】
なお開口部５０４の形状や、配置、廃棄の順序については、上述した構成の他にも適宜変更することができる。
【第５の実施の形態】
【００５５】
本実施の形態では、内部の反応容器の蓄積状況を検知する検知器を有する反応容器廃棄部の構成、及び、本構成を用いて、収納ボックス内の反応容器の蓄積状況を検知することで、より正確に反応容器の蓄積を均等にするための反応容器移送機構の動作について、図６、図７を用いて説明する。
【００５６】
本構成において、反応容器移送機構６０２は、搬送路６０６を経由して、分析が終了した使用済みの反応容器６０３を収納ボックス６０１の蓋部６０５に形成された複数の開口部６０４へ搬送し、廃棄する。
【００５７】
ここで、収納ボックス６０１の内部には、回収された反応容器６０３の蓄積状況を検知可能な複数の検知器６０７が設置されている。検知器６０７の種類については特に限定されるものではなく、対応する開口部６０４から回収された反応容器６０３の存在を検知できれば良い。ここで、対応する開口部６０４から回収された反応容器６０３の存在を精度よく検知するためには、検知器６０７は、対応する開口部６０４の位置の下方に設けられることが望ましい。
【００５８】
反応容器移送機構６０２が反応容器６０３の移送、廃棄の動作を開始すると、まず始めに記憶部１１７に記憶されている反応容器６０３の回収情報を読み出す（ステップ７０１）。ここで反応容器６０３の回収情報とは、現時点における、前回反応容器６０３が廃棄された時間と、使用した開口部６０４の位置を含んだ情報である。
【００５９】
反応容器移送機構６０２によって反応容器６０３が移送され、収納ボックス６０１内に廃棄され続ければ、使用された開口部６０４の直下には反応容器６０３が蓄積される。ここで、検知器６０７の設置位置まで反応容器６０３の蓄積が続くと、検知器６０７が蓄積された反応容器６０３の存在を検知する（ステップ７０２）。このとき、検知可能な検知器６０７は１つに限られるものではなく、複数の検知器６０７によって蓄積を検知することができる。複数の検知器６０７のうち、少なくとも１つの検知器６０７によって反応容器６０３の存在を検知した場合には、ステップ７０３に進む。
【００６０】
検知器６０７により、収納ボックス６０１内の反応容器６０３の蓄積状況を検知した場合には、記憶部１１７に記憶されている前回の廃棄時間と、検知器６０７の位置の情報から、最も反応容器６０３の蓄積が少ない開口部６０４を決定する（ステップ７０３）。
【００６１】
ここで、最も反応容器６０３の蓄積の少ない開口部６０４とは、ステップ７０２において反応容器６０３の存在を検知しなかった開口部６０４が相当する。本ステップにおいて、反応容器６０３の存在を検知しなかった開口部６０４が複数あった場合には、ステップ７０１にて取得した前回の廃棄時間と、現在の時刻とが最も乖離している箇所の開口部６０４を、反応容器６０３の蓄積が少ない開口部６０４であると決定する。
【００６２】
反応容器６０３の蓄積が少ないと判断される開口部６０４が決定したら、反応容器移送機構６０２は、決定された開口部６０４の位置へ反応容器６０３を移送して、この開口部６０４を介して収納ボックス６０１に廃棄する（ステップ７０４）。
【００６３】
ここで、収納ボックス６０１内の全ての検知器６０７により反応容器６０３の存在を検知しなかった場合、制御部１１６は反応容器６０３の蓄積量がまだ少ないもの判定する。この場合には、複数の開口部６０４のうち、前回使用した廃棄時間と、現在の時刻とが最も乖離している位置の開口部６０４を次の廃棄箇所として決定する。もしくは、ステップ７０３にて廃棄に使用する開口部６０４を決定することができなかった場合、例えば、全ての検知器６０７によって反応容器６０３の存在を検知した場合においても、同様に複数の開口部６０４のうち、前回使用した廃棄時間と、現在の時刻とが最も乖離している位置の開口部６０４を次の廃棄箇所として決定する（ステップ７０５）。反応容器６０３を廃棄する開口部６０４を決定後、ステップ７０４に進む。
【００６４】
反応容器６０３の廃棄後、使用した開口部６０４の位置、および廃棄した時間を記憶部１１７に記憶する（ステップ７０６）。ここで、例えば開口部６０４に反応容器６０３を廃棄した場合には、前回使用時に記憶した開口部６０４に関する回収情報を上書きして記憶し、廃棄動作を終了する。
【００６５】
本構成によれば、収納ボックス６０１内に複数の検知器６０７を設置したことにより回収された反応容器６０３の存在を検知し、その蓄積状況を確認することがきる。また、廃棄時に使用した開口部６０４の位置の情報と、廃棄した時間を記憶することより、複数の開口部６０４のうちのどの開口部６０４から反応容器６０３を廃棄すれば、収納ボックス６０１内に回収される反応容器６０３の高さを均等にできるかをより正確に判断できる。
【００６６】
また、本実施の形態は、上述した第３の実施の形態のように、１つの開口部６０４において複数の廃棄ポイントを有する構成においても適用可能である。
【第６の実施の形態】
【００６７】
上述した実施の形態では、自動分析装置の一例である血液凝固分析を行う装置について、特に、１台で独立した装置として運用されるスタンドアローンタイプの構成を用いて説明した。
【００６８】
ところで、臨床検査のための自動分析装置には、このようなスタンドアローンタイプの装置の他にも、検査室の業務効率化のために、生化学分析や免疫分析、血液凝固分析等の複数の分析分野の分析部を接続し、共通したサンプルラック搬送ラインを用いて全体として１つの装置として運用するモジュールタイプの構成がある。
【００６９】
本実施の形態では、モジュールタイプの自動分析装置の一例として、２モジュールの血液凝固分析部を備えた自動分析装置への適用例について、図８を用いて説明する。
【００７０】
図８は、本実施の形態に係る２モジュールの血液凝固分析部を備えた自動分析装置の基本構成を示す図である。本図に示すように、モジュールタイプの自動分析装置８００は、試料と試薬との混合液である反応液を分析する複数の分析部である、第１血液凝固分析部８１２、第２血液凝固分析部８１７を有し、各分析部に試料を供給するために、試料を収容する試料容器を搭載する試料ラック８０１を搬送する搬送ライン８０４、８０５を備えている。
【００７１】
分析の対象となる血漿等の試料が入った試料容器を搭載した試料ラック８０１を搬送する搬送系の一例として、搬送ライン８０４上へ試料ラック８０１を供給するラック供給部８０２、分析が終了し、搬送ライン８０５上を移動してきた試料ラック８０１を収容するラック収納部８０３、試料ラック８０１を各分析部に搬送する搬送ライン（送り方向）８０４、搬送ライン（戻り方向）８０５、分析待ちの試料ラック８０１を待機させるラック待機部８０６、搬送ライン８０４、８０５とラック待機部８０６間及びラック待機部８０６内で試料ラック８０１を移載するラックハンドリング機構８０７、試料ラック８０１の情報に基づいて搬送ライン８０５上のラックの行き先を振り分けるラック振り分け機構８０９、振り分けられた試料ラック８０１をラック収納部８０３へ移動するラック戻し機構８０８、緊急の分析を要する試料ラック８０１を投入する緊急試料ラック投入部８１０、搬送ライン８０４上の試料ラック８０１に付されたバーコード等の情報を読み取る読取部８１１（搬送ライン）を示す。
【００７２】
搬送ライン８０４に沿って配置される第１血液凝固分析部８１２の搬送系は、搬送ライン８０４から試料ラック９０１に収容されている試料に対する分析依頼情報を照合するための読取部（第１血液凝固分析部）８１６と、搬送ライン８０４から試料ラック８０１を受け取る第１ラック搬入機構８１４と、試料の分注が行われるサンプリングエリアを含むとともに試料の分注開始まで試料ラック８０１を待機可能である第１分注ライン８１３と、試料分注後の試料ラック８０１を搬送ライン８０４、８０５に搬送する第１ラックハンドリング機構８１５を備える。
【００７３】
搬送ライン８０４に沿って配置される第２血液凝固分析部８１７の搬送系も、上述した第１血液凝固分析部８１２の搬送系の構成と同様に、搬送ライン８０４から試料ラック８０１に収容されている試料に対する分析依頼情報を照合するための読取部（第２血液凝固分析部）８２１と、搬送ライン８０４から試料ラック８０１を受け取る第２ラック搬入機構８１９と、試料の分注が行われるサンプリングエリアを含むとともに試料の分注開始まで試料ラック８０１を待機可能である第２分注ライン８１８と、試料分注後の試料ラック８０１を搬送ライン８０５に搬送する第２ラックハンドリング機構８２０を備える。
【００７４】
また全体を通して、制御部８２２は、上述した試料ラック８０１の搬送動作や試料、試薬の分注動作、読取った情報に基づく試料ラック８０１の振り分け、搬入・搬出の動作等、検出結果に基づく血液凝固時間や目的成分の濃度の演算などのデータ処理動作等、自動分析装置８００を構成する種々の構成の動作や条件設定等の制御を実施する。また、制御部８２２には、分析条件に関する各種データや、オペレータからの指示等が入力されるキーボード等の入力部８２５と、入力された情報や試料、試薬などから読取った情報、検出結果に関する情報等を記憶する記憶部８２３、検出結果、及び自動分析装置８００の各種操作に係るグラフィカルユーザーインターフェース（ＧＵＩ）等を表示する出力部８２４と接続されている。なお、本図において制御部８２２は各々の構成部に接続され、自動分析装置の全体を制御するものとしたが、構成部ごとに各々独立した制御部を備えるように構成することもできる。
【００７５】
ここで、第１血液凝固分析部８１２における反応容器廃棄部８２８、反応容器移送機構８３０、第２血液凝固分析部８１７における反応容器廃棄部８２９、反応容器移送機構８３１の構成において、上述した第１〜第５の実施の形態を適用することができる。
【００７６】
モジュールタイプの自動分析装置の場合、単に時間あたりの処理能力がスタンドアローンタイプのものよりも高いため、使用済みの反応容器が廃棄される量も多くなり、上述した課題がより顕著になる。そこで、このように構成することにより、モジュールタイプの自動分析装置においても、使用済みの反応容器の蓄積を均等化して集中することを防ぎ、かつ、分析精度を高く保つことができる。
【００７７】
次に、図９を用いて上述した血液凝固分析部の構成についてより詳細に説明する。図９において、試料ラック上の試料容器内に収容される試料を、測定に使用される反応容器９０１に分注する試料分注機構９１７と、このサンプル分注動作の対象となる反応容器９０１を配置できる試料分注ポート９１６と、待機状態の反応容器を収容する待機ポート９１０を複数備える待機ユニット９１１と、反応容器９０１が複数個ストックされる反応容器マガジン９０２と、反応容器９０１を移送し、必要に応じて各ポジションへの搬入、搬出を行う反応容器移送機構９１２と、３７℃に温度調整され、血液凝固時間の測定の直前に試料や希釈等の処理が施された前処理済みの試料を昇温するプリヒートポート９０８を複数個備えたプリヒートユニット９０９と、同じく３７℃に温度調整され血液凝固時間を測定する分析ポート９１０を複数個備えた分析ユニット９０７と、試薬が封入された試薬ボトルが内蔵されている試薬カセット９０３が円周状に配置され、約１０℃に温度調整された試薬ディスク９０４と、試薬カセット供給部９１３に配置された試薬カセット９０３を試薬ディスク９０４に移送する試薬カセット移送機構９１５と、試薬ディスク９０４に移送された試薬カセット９０３の測定項目や使用期限等が入力されたバーコードやＲＦＩＤ等の媒体から試薬情報を読み取る試薬情報読取部９０５と、試薬カセット移送機構９１５により試薬ディスク９０４から取り出され、使用済みの試薬カセット９０３を収納する試薬カセット収納部９１４と、使用済みの反応容器９０１を廃棄する反応容器廃棄部９２３と、試料分注機構を洗浄する試料分注機構洗浄部９１８と、第１試薬分注機構を洗浄する第１試薬機構洗浄部９２０と、第２試薬分注機構９２１を洗浄する第２試薬分注機構洗浄部９２２と、を備えている。
【００７８】
血液凝固時間の測定は、検出された光のデータに基づいて制御部９２２において演算により求められる。
【００７９】
ここで、本図における反応容器廃棄部９２３、反応容器移送機構９１２の構成において、  上述した第１〜第５の実施の形態を適用することができる。
【００８０】
モジュールタイプの自動分析装置の場合、単に時間あたりの処理能力がスタンドアローンタイプのものよりも高いため、使用済みの反応容器が廃棄される量も多くなり、上述した課題がより顕著になる。そこで、このように構成することにより、モジュール型の自動分析装置においても、使用済みの反応容器の蓄積を均等化して集中することを防ぎ、かつ、分析精度を高く保つことができる
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。
【００８１】
また、上記の各構成、機能、処理部、処理手段等は、それらの一部または全部を、例えば集積回路で設計する等によりハードウェアで実現してもよい。また、上記の各構成、機能等はプロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記憶装置、または、ＩＣカード、ＳＤカード、ＤＶＤ等の記憶媒体に置くことができる。
【００８２】
また、情報線や制御線は説明上必要と考えられるものを示しており、製品上必ずしも全ての情報線や制御線を示しているとは限らない。実際には殆ど全ての構成が相互に接続されていると考えてよい。
【符号の説明】
【００８３】
１００・・・自動分析装置
１０１・・・試料容器
１０２・・・試料ディスク
１０３・・・試薬容器
１０４・・・試薬ディスク
１０５・・・試料分注機構
１０６・・・試料分注機構洗浄部
１０７、２０３、３０３、４０３、５０３、６０３・・・反応容器
１０８・・・反応容器設置部
１０９、２０２、３０２、４０２、５０２、６０２・・・反応容器移送機構
１１０・・・反応容器供給部
１１１・・・検出ユニット
１１２・・・試薬分注機構
１１３・・・試薬分注機構洗浄部
１１４・・・反応容器廃棄部
１１５・・・操作部
１１６・・・制御部
１１７・・・記憶部
１１８・・・インターフェイス
１１９・・・試料分注ポート
２０１、３０１、４０１、５０１、６０１・・・収納ボックス
２０４、３０６、４０６、５０６、６０６・・・反応容器移送機構の搬送路
３０４、５０４、６０４・・・開口部
３０５、４０５、５０５、６０５・・・蓋部
４０４・・・溝状の開口部
５０７・・・仕切り部材
６０７・・・検知器
８００・・・自動分析装置（モジュールタイプ）
８０１・・・試料ラック
８０２・・・ラック供給部
８０３・・・ラック収納部
８０４・・・搬送ライン（送り方向）
８０５・・・搬送ライン（戻り方向）
８０６・・・ラック待機部
８０７・・・ラックハンドリング機構
８０８・・・ラック戻し機構
８０９・・・ラック振り分け機構
８１０・・・緊急試料ラック投入部
８１１・・・読取部（搬送ライン）
８１２・・・第１血液凝固分析部
８１３・・・第１分注ライン
８１４・・・第１ラック搬入機構
８１５・・・第１ラックハンドリング機構
８１６・・・読取部（第１血液凝固分析部）
８１７・・・第２血液凝固分析部
８１８・・・第２分注ライン
８１９・・・第２ラック搬入機構
８２０・・・第２ラックハンドリング機構
８２１・・・読取部（第２血液凝固分析部）
８２２・・・制御部
８２３・・・記憶部
８２４・・・出力部
８２５・・・入力部
８２６・・・第１分析ユニット
８２７・・・第２分析ユニット
８２８、８２９・・・反応容器廃棄部
８３０、８３１・・・反応容器移送部
９０１・・・反応容器
９０２・・・反応容器マガジン
９０３・・・試薬カセット
９０４・・・試薬ディスク
９０５・・・試薬情報読取部
９０６・・・分析ポート
９０７・・・分析ユニット
９０８・・・プリヒートポート
９０９・・・プリヒートユニット
９１０・・・待機ポート
９１１・・・待機ユニット
９１２・・・反応容器移送機構
９１３・・・試薬カセット供給部
９１４・・・試薬カセット収納部
９１５・・・試薬カセット移送機構
９１６・・・試料分注ポート
９１７・・・試料分注機構
９１８・・・試料分注機構洗浄部
９１９・・・第１試薬分注機構
９２０・・・第１試薬分注機構洗浄部
９２１・・・第２試薬分注機構
９２２・・・第２試薬分注機構洗浄部
９２３・・・反応容器廃棄部
【図１】
2017047240.tif 000003
【図２】
2017047240.tif 000004
【図３】
2017047240.tif 000005
【図４】
2017047240.tif 000006
【図５】
2017047240.tif 000007
【図６】
2017047240.tif 000008
【図７】
2017047240.tif 000009
【図８】
2017047240.tif 000010
【図９】
2017047240.tif 000011
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
第１の搬送路と、前記第１の搬送路に平行でない第２の搬送路とから構成され、前記反応容器移送機構を前記第１の搬送路、前記第２の搬送路を介して搬送する搬送機構と、
前記搬送機構を介して前記反応容器移送機構の動作を制御する制御部と、を備え、
前記制御部は、
前記反応容器廃棄部における前記反応容器の廃棄が行われたのちに、当該廃棄が所定の位置で連続して行われないように、当該反応容器が廃棄された位置に関する情報に基づいて、当該位置から距離をとるように次の廃棄位置を決定し、当該決定された位置に前記搬送機構を介して前記反応容器移送機構を位置付けることを特徴とする自動分析装置。
【請求項２】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
前記制御部は、
前記反応容器廃棄部における前記反応容器の廃棄が行われたのちに、当該廃棄が当該複数の開口部のうちのいずれかの開口部を介して連続して行われないように、当該反応容器が廃棄された開口部の位置に関する情報に基づいて、当該開口部とは異なる開口部を次の廃棄位置として決定し、当該決定された位置である開口部に前記搬送機構を介して前記反応容器移送機構を位置付けることを特徴とする自動分析装置。
【請求項３】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる廃棄ポイントを複数含むように単一の開口部が形成され、
前記制御部は、
前記反応容器廃棄部における前記反応容器の廃棄が行われたのちに、当該廃棄が前記開口部における複数の廃棄ポイントのうちのいずれかの廃棄ポイントを介して連続して行われないように、当該反応容器が廃棄された廃棄ポイントの位置に関する情報に基づいて、当該廃棄ポイントから距離をとるように異なる廃棄ポイントを次の廃棄位置として決定し、当該決定された位置である廃棄ポイントに前記搬送機構を介して前記反応容器移送機構を位置付けることを特徴とする自動分析装置。
【請求項４】
請求項２に記載された自動分析装置であって、
前記収納部には、さらに、前記反応容器が収納されるスペースを複数に区切るように仕切り部材が設けられ、
当該蓋部に形成された複数の開口部のそれぞれは、当該区切られた複数のスペースのうちのいずれかに前記反応容器を搬入できるように構成され、
前記制御部は、
前記測定部における測定結果に基づいて、
当該収納部において区切られたスペースのうちのいずれのスペースに前記反応容器を収納するかを決定し、
当該決定されたスペースに前記反応容器を収納するように、当該蓋部に形成された開口部のうちのいずれかの開口部にて前記反応容器の廃棄を行うように前記反応容器移送機構の動作を制御することを特徴とする自動分析装置。
【請求項５】
請求項４に記載された自動分析装置であって、
前記測定部は前記反応容器に収容された混合液の血液凝固分析を行い、
前記制御部は、
前記測定部における測定結果に基づいて、予め定められた時間内に血液凝固反応が終了したか否かを判断し、
当該判断の結果に基づいて、
当該収納部において区切られたスペースのうちいずれのスペースに前記反応容器を収納するかを決定することを特徴とする自動分析装置。
【請求項６】
請求項５に記載された自動分析装置であって、
前記収納部は、前記仕切り部材によって第１のスペースと第２のスペースとに区切られ、
前記制御部は、
当該判断において、
予め定められた時間内に血液凝固反応が終了したと判断された場合には、当該収納部において区切られた第１のスペースに前記反応容器を収納し、
予め定められた時間内に血液凝固反応が終了していないと判断された場合には、当該収納部において区切られた第２のスペースに前記反応容器を収納するように、前記反応容器移送機構の動作を制御することを特徴とする自動分析装置。
【請求項７】
請求項１に記載された自動分析装置であって、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
当該収納部には、当該収納された反応容器を検知する検知器が複数設けられ、
前記制御部は、
当該検知器による反応容器の検知状況に基づいて、
前記反応容器移送機構の動作を制御することを特徴とする自動分析装置。
【請求項８】
請求項７に記載された自動分析装置であって、
当該複数の検知器のそれぞれは、当該蓋部に形成された複数の開口部のそれぞれに対応するように設けられ、
当該検知器のうちの少なくともいずれかの検知器が反応容器を検知した場合、
前記制御部は、前記反応容器の廃棄が、前記反応容器を検知した検知器に対応する開口部を介して連続して行われないように、前記反応容器移送機構の動作を制御することを特徴とする自動分析装置。
【請求項９】
請求項８に記載された自動分析装置であって、
前記制御部は、
当該複数の検知器のそれぞれについての位置の情報と、対応する開口部において廃棄が行われた時刻に関する情報を記憶し、
当該検知器のうちの少なくとも２つ以上の検知器が反応容器を検知した場合には、当該検知器のそれぞれについて、当該記憶された、対応する開口部において廃棄が行われた時刻と、現在の時刻との乖離を求め、当該求めた乖離が大きい方の検知器に対応する開口部において前記反応容器を廃棄するように、前記反応容器移送機構の動作を制御することを特徴とする自動分析装置。
【請求項１０】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
第１の搬送路と、前記第１の搬送路に平行でない第２の搬送路とから構成され、前記反応容器移送機構を前記第１の搬送路、前記第２の搬送路を介して搬送する搬送機構と、
前記搬送機構を介して前記反応容器移送機構の動作を制御する制御部と、を備えた自動分析装置における分析方法であって、
前記制御部は、
前記反応容器廃棄部における前記反応容器の廃棄が行われたのちに、当該廃棄が所定の位置で連続して行われないように、当該反応容器が廃棄された位置に関する情報に基づいて、当該位置から距離をとるように次の廃棄位置を決定し、当該決定された位置に前記搬送機構を介して前記反応容器移送機構を位置付けることを特徴とする自動分析方法。
【請求項１１】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
前記反応容器移送機構の動作を制御する制御部と、を備え、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
前記収納部には、さらに、前記反応容器が収納されるスペースを複数に区切るように仕切り部材が設けられ、
当該蓋部に形成された複数の開口部のそれぞれは、当該区切られた複数のスペースのうちのいずれかに前記反応容器を搬入できるように構成され、
前記制御部は、
前記測定部における測定結果に基づいて、
当該収納部において区切られたスペースのうちのいずれかのスペースに前記反応容器を収納するかを決定し、
当該決定されたスペースに前記反応容器を収納するように、当該蓋部に形成された開口部のうちのいずれかの開口部にて前記反応容器の廃棄を行うように前記反応容器移送機構の動作を制御することを特徴とする自動分析装置。
【請求項１２】
試料を反応容器に分注する試料分注機構と、
試薬を反応容器に分注する試薬分注機構と、
前記反応容器を保持する反応容器保持部と、当該保持された反応容器に収容された試料と試薬との混合液に光を照射する光源と、当該照射された光を検出する検出部と、から構成される測定部と、
当該測定が終了した反応容器が廃棄される反応容器廃棄部と、
当該反応容器を、前記反応容器保持部から前記反応容器廃棄部へ移送し、当該反応容器廃棄部へ廃棄する反応容器移送機構と、
前記反応容器移送機構の動作を制御する制御部と、を備え、
前記反応容器廃棄部は、当該廃棄された反応容器を収納する収納部と、当該収納部の上面を覆うように形成された蓋部とを有し、
当該蓋部には、当該反応容器を前記収納部へ搬入できる開口部が複数形成され、
当該収納部には、当該収納された反応容器を検知する検知器が複数設けられ、
前記制御部は、
当該検知器による反応容器の検知状況に基づいて、
前記反応容器移送機構の動作を制御することを特徴とする自動分析装置。
【国際調査報告】
2017047240.tif 000012
2017047240.tif 000013
2017047240.tif 000014
2017047240.tif 000015